(57)【要約】【課題】  経済的な断面構造が得られ、かつ擁壁前面からの突出長さが小さく美観上においても優れたアンカー式擁壁を得る。【解決手段】  水平方向に所定間隔をもって配されるとともに鉛直状に建て込まれ所定長に根入れされた親杭列と、該親杭列の中間部で該親杭列と相並び、かつ該親杭列を水平に剛的に繋ぐ横梁とにより擁壁体の骨組みが構成され、横梁における親杭間の中間位置で地盤に定着するアンカーの端部が定着されてなる。【選択図】  図２
2007154413.tif 000002
【特許請求の範囲】
【請求項１】
水平方向に所定間隔をもって配されるとともに鉛直状に建て込まれ所定長に根入れされた親杭列と；主働土圧域で前記親杭列の中間部で該親杭列と相並び、かつ該親杭列を水平に剛的に繋ぐ横梁と；により擁壁体の骨組みが構成され、
前記横梁における親杭間の中間位置で地盤に定着するアンカーの端部が定着され、
かつ、相隣れる親杭間に土留め部が装架されてなる、
ことを特徴とする親杭式土留アンカー式擁壁。
【請求項２】
親杭はＨ型鋼杭である請求項１に記載の親杭式土留アンカー式擁壁。
【請求項３】
横梁は鉄筋コンクリート製であるとともに、親杭を抱持する断面を有する請求項１に記載の親杭式土留アンカー式擁壁。
【請求項４】
アンカーは予張力が導入される請求項１ないし３のいずれかに記載の親杭式土留アンカー式擁壁。
【請求項５】
アンカーは親杭列の各中間位置である請求項１ないし４のいずれかに記載の親杭式土留アンカー式擁壁。
【請求項６】
土留め部はプレキャストコンクリート版である請求項１ないし５のいずれかに記載の親杭式土留アンカー式擁壁。
【請求項７】
土留め部は現場打ちコンクリートである請求項１ないし５のいずれかに記載の親杭式土留アンカー式擁壁。
【請求項８】
地中に所定間隔をもって杭孔列を穿孔し、
該杭孔内に根入れ長を保持して親杭列を設置し、
親杭列の中間部に該親杭列に相並びかつ該親杭列を水平に剛的に繋ぐ横梁を架設し、
該横梁における親杭間の中間位置より親杭列の後部地盤中にアンカーを設置し、
前記横梁及びアンカーの設置過程に合わせて前記親杭間に土留め部を装架してなる、
ことを特徴とする親杭式土留アンカー式擁壁の構築方法。
【請求項９】
親杭は既製杭である請求項８に記載の親杭式土留アンカー式擁壁の構築方法。
【請求項１０】
親杭は現場打ち杭である請求項８に記載の親杭式土留アンカー式擁壁の構築方法。
【請求項１１】
原地表面より地中に所定間隔をもって杭孔列を穿孔し、
該杭孔内に根入れ長を保持して親杭列を設置し、
前記親杭列の前面を一次床掘りし、
前記親杭列の中間部に該親杭列を水平に剛的に繋ぐ横梁を架設し、
前記横梁における親杭間の中間位置より前記親杭列の後部地盤中にアンカーを設置し、
前記横梁及びアンカーの設置過程に合わせて前記親杭間に土留め部を装架し、
土圧の安定状態で土工空間の施工面まで最終床掘りをなす、
ことを特徴とする親杭式土留アンカー式擁壁を伴う土工空間の施工方法。
【発明の詳細な説明】
【技術分野】
【０００１】
この発明は、土留擁壁に関し、更に詳しくは、アンカー作用を付加してなる土留アンカー式擁壁及びその構築方法に関する。
【背景技術】
【０００２】
従来のアンカー作用を付加するアンカー式擁壁は、擁壁躯体の前面にＨ型鋼の横梁いわゆる腹起しを当接させ、このＨ型鋼の横梁（以下、Ｈ鋼横梁という。）に地盤に定着するアンカー材を定着させてなる構造を採る。該Ｈ鋼横梁にはコンクリートが被覆されて完成される。
しかし、この従来の構造では、Ｈ鋼横梁及びそれを被覆してコンクリート梁が大きく擁壁の前面に突出することになり、経済上も、美観上においても不都合となる。また、該擁壁に沿って歩道・車道が設けられる場合、歩行者、運転者に圧迫感を与え好ましくない。
【発明の開示】
【発明が解決しようとする課題】
【０００３】
本発明は上記実情に鑑みなされたものであって、上記従来のアンカー式擁壁の有する欠点を解消し、経済的な断面構造が得られ、かつ擁壁前面からの突出長さが小さく美観上においても優れたこの種のアンカー式擁壁を提供することを目的とするものである。
本発明はこのため、擁壁の躯体を親杭列と該親杭列と同位相で相並ぶ横梁を配し、この横梁にアンカーを定着することによりこの問題を解決したものである。
本発明はまた、この擁壁の構築方法を得ることも他の目的とする。
更に、本擁壁構造を利用してなされる施工面を与える土工空間の施工方法を得ることも他の目的とする。
【課題を解決するための手段】
【０００４】
本発明の親杭式土留アンカー式擁壁及びその構築方法は具体的には以下の構成を採る。
すなわち、本発明の第１は親杭式土留アンカー式擁壁に係り、請求項１のとおり、
水平方向に所定間隔をもって配されるとともに鉛直状に建て込まれ所定長に根入れされた親杭列と；主働土圧域で前記親杭列の中間部で該親杭列と相並び、かつ該親杭列を水平に剛的に繋ぐ横梁と；により擁壁体の骨組みが構成され、
前記横梁における親杭間の中間位置で地盤に定着するアンカーの端部が定着され、
かつ、相隣れる親杭間に土留め部が装架されてなる、
ことを特徴とする。
上記構成において、横梁が「親杭列と相並ぶ」とは、該横梁の軸心が実質的に当該親杭列の断面内に存することを意味する。
上記構成において、
（１）親杭はＨ型鋼杭であること、
（２）横梁は鉄筋コンクリート製であるとともに、親杭を抱持する断面を有すること、
（３）アンカーは予張力が導入されること、
（４）アンカーは親杭列の各中間位置であること、
（５）土留め部はプレキャストコンクリート版であること、
（６）土留め部は現場打ちコンクリートであること、
は適宜実施される選択的事項である。
【０００５】
（作用）
本擁壁の構造では、横梁への作用圧は、該横梁自体にかかる土圧と土留め部を介して親杭に伝わる土圧となる。
本擁壁の親杭列と横梁とで一体化された骨組みは、親杭の根入れとアンカーとの拘束位置を有し、当該土圧に対し、合理的な設計の根拠を与えるものである。すなわち、これを三次元ＦＥＭ線形解析を適用することにより、親杭と横梁との交点部での応力が明確となり、従来の単純梁の解法に比べより小さな断面で済むものであり、合理的な設計をなすことができ、経済的な擁壁断面を得る。
【０００６】
本発明の第２は、第１発明の親杭式土留めアンカー式擁壁の構築方法に係り、請求項８のとおり、
地中に所定間隔をもって杭孔列を穿孔し、
該杭孔内に根入れ長を保持して親杭列を設置し、
親杭列の中間部に該親杭列に相並びかつ該親杭列を水平に剛的に繋ぐ横梁を架設し、
該横梁における親杭間の中間位置より親杭列の後部地盤中にアンカーを設置し、
前記横梁及びアンカーの設置過程に合わせて前記親杭間に土留め部を装架してなる、
ことを特徴とする。
上記構成において、横梁が「親杭列と相並ぶ」とは、該横梁の軸心が実質的に当該親杭列の断面内に存することを意味する。
上記構成において、
（１）親杭はＨ型鋼杭であること、
（２）横梁は鉄筋コンクリート製であるとともに、親杭を抱持する断面を有すること、
（３）アンカーは予張力が導入されること、
（４）アンカーは親杭列の各中間位置であること、
（５）土留め部はプレキャストコンクリート版であること、
（６）土留め部は現場打ちコンクリートであること、
は適宜実施される選択的事項である。
【０００７】
本発明の第３は、第１発明の親杭式土留めアンカー式擁壁を利用してなされる土工空間の施工方法に係り、請求項１１のとおり、
原地表面より地中に所定間隔をもって杭孔列を穿孔し、
該杭孔内に根入れ長を保持して親杭列を設置し、
前記親杭列の前面を一次床掘りし、
前記親杭列の中間部に該親杭列を水平に剛的に繋ぐ横梁を架設し、
前記横梁における親杭間の中間位置より前記親杭列の後部地盤中にアンカーを設置し、前記横梁及びアンカーの設置過程に合わせて前記親杭間に土留め部を装架し、
土圧の安定状態で土工空間の施工面まで最終床掘りをなす、
ことを特徴とする。
本発明において、横梁は親杭列に相並ぶことも、また突出することも自由である。
本発明における「土工空間」は、地表下の建物基礎土留め空間、地表下に掘り下げられる道路施工面を意味する。
【０００８】
（作用）
本施工方法は地表面からなされる。
本施工方法は、道路構築予定空間を挟んで両側から実施して地下掘りの道路空間を形成することができる。また、本施工方法を建物構築予定空間の四周に実施して建物地下の擁壁を形成することができる。
【発明の効果】
【０００９】
本発明のアンカー式擁壁によれば、擁壁面にかかる土圧に対し、合理的な設計の根拠を与え、小さな断面で済み、経済的な擁壁断面を得る。
また、擁壁面からの突出物が短く、該擁壁の前面部が有効に使え、圧迫感もなく、美観に優れる。
また、土工空間の施工方法によれば、恒久的かつ美観に優れた擁壁を備えた地下空間が得られ、かつ、当該地下空間を迅速に施工できる。この地下空間は上記したとおり有効な空間を備える。
【発明を実施するための最良の形態】
【００１０】
（第１実施形態）
本発明の親杭式土留アンカー式擁壁及びその構築並びに施工方法の実施の形態を図面に基づいて説明する。
図１〜図６は本親杭式土留アンカー式擁壁Ｗの一実施形態を示す。
図において、図１〜図３は本親杭式土留アンカー式擁壁の全体を示し、図４〜図６はその部分構成を示す。
また、図７〜図１０は本親杭式土留アンカー式擁壁の施工要領を示す。
図において、Ｅは地盤を示す。
【００１１】
図に示すように、本親杭式土留アンカー式擁壁（以下単に「アンカー式擁壁」という）Ｗは、水平方向に所定間隔をもって配されるとともに鉛直に根入れされたＨ型鋼の複数の親杭１と、主働土圧域で前記親杭１を包持して水平方向に配されたＲＣ横梁２と、前記ＲＣ横梁２における親杭１間の中間位置で一端が定着され、他端は土中に定着されるアンカー３と、相隣れる親杭１のＨ型鋼間に嵌挿される既製のコンクリート土留め版４と、の主要構成要素からなる。更に、親杭１の上部に施工される頭部コンクリート梁６を含む。
複数の親杭は「親杭列」を構成し、また、親杭列とＲＣ横梁２とで「骨組み」を構成する。
【００１２】
以下、各構成要素につき詳述する。
親杭（Ｈ型鋼杭）１
親杭（Ｈ型鋼杭）１は、本実施形態ではＨ型鋼杭（フランジ１ａ，１ｂ、ウェブ１ｃ）が使用され、該Ｈ型鋼杭のフランジ１ａ，１ｂが前後に配される。親杭のＨ型鋼杭１は所定長を有し、下部は所定長の根入れ分１ｄをもって地盤Ｅに根入れされる。根入れ部１ｄの外周には根固めコンクリート１０が充填され、Ｈ型鋼杭１の定着をなす。Ｈ型鋼杭１の根入れ部１ｄ以外の壁面部１ｅは開放される。
【００１３】
ＲＣ横梁２（図４、図５参照）
ＲＣ横梁２は、所定の幅及び高さの断面を有し、前記Ｈ型鋼杭１の上部において、Ｈ型鋼杭１の相互を剛的につなぐ。該ＲＣ横梁２は水平に連続する。
ＲＣ横梁２は、その断面内に鉄筋として、水平筋１２と補強筋（横筋）１３とが配され、充填コンクリート１４をもって一体化され、これにより大きな強度特に、前面への曲げ抵抗モーメントを有する。
ＲＣ横梁２とＨ型鋼杭１との剛的な接合は、ＲＣ横梁２より補助鉄筋１５を介してＨ型鋼杭１のフランジ１ａ，１ｂ間に装入させてなされる。該補助鉄筋１５はＨ型鋼杭１に溶接することは自由であり、あるいは該補助鉄筋１５を省略してもよい。
ＲＣ横梁２の幅は本実施形態ではＨ型鋼杭１より大きく、該Ｈ型鋼杭１を包み込むものとなっているが、その幅を該Ｈ型鋼杭１と同じ、もしくは小さくしてもよい。要は強度が保持されればよい。
【００１４】
アンカー３（図６参照）
アンカー３は、アンカー鋼棒１７を主体とし、前記ＲＣ横梁２におけるＨ型鋼杭１間の中間位置で一端が定着され、他端は土中に定着される。図６にその詳細構造を示す。
すなわち、ＲＣ横梁２の所定位置に定着座１８が突設され、該定着座１８とＲＣ横梁２を斜めに横断してアンカー用挿通孔１９が開設される。該アンカー用挿通孔１９は比較的大径をなし、該アンカー用挿通孔１９に続いて土中に削孔をもってアンカー孔２０が形成される。該アンカー用挿通孔１９には削孔機の穿孔ビット（図示せず）が挿通され、土中への削孔がなされる。
アンカー鋼棒１７は、一端がねじ部１７ａとなり、他端は大径の定着部１７ｂを有し、ねじ部１７ａには支圧板２２を介してナット２３が螺合される。支圧板２２はその孔（図示せず）を介してアンカー鋼棒１７を挿通するとともに、定着座１８に着座され、アンカー用挿通孔１９を塞ぐ。アンカー鋼棒１７の他端の定着部１７ｂは大径をなすとともに凸凹が付され、スペーサ２４を介してアンカー孔２０の中心に配される。しかして、該アンカー鋼棒１７は、アンカー用挿通孔１９及びアンカー孔２０に中心を保持して挿入され、外周に充填されるセメントミルク２６をもって固定される。その要領は先に注入された定着部１７ｂ部分のセメントミルク２６ａの固結後、ナット２３の締込みによりアンカー鋼棒１７を緊張させ、しかる後、その余の部分にセメントミルク２６ｂを注入し、その固結を待つ。
図６において、Ｌは地盤Ｅの土壌域と岩盤域との境を示し、アンカー鋼棒１７の定着部１７ｂは岩盤域に配されることが好ましい。
なお、本実施形態のアンカー３はその一例示であり本発明のアンカー作用を奏する限りにおいて、他の態様を採ることができる。
【００１５】
プレキャスト土留め版４
プレキャスト土留め版４は、相隣れるＨ型鋼杭１のウェブ１ｃ間に嵌挿される。
該プレキャスト土留め版４は、所定の長さ（幅）Ｌと高さＨと厚さＢとをもって所定の強度を有し、相隣れるＨ型鋼杭１間には原則として単数個、高さ方向には原則として複数個をもって設置される。該プレキャスト土留め版４の厚さＢは、本実施形態ではＨ型鋼のフランジ１ａ，１ｂ間の長さの１／２とされる。
しかして、該プレキャスト土留め版４の前面はＨ型鋼杭１の前面フランジ１ａの後面に当接される。
プレキャスト土留め版４はＲＣ横梁２を介して上部と下部とに分かれるが、実質的に同一の形態をなす。下部のプレキャスト土留め版４をもって下部土留壁部４Ａが形成され、該下部土留壁部４Ａの下端は地固めコンクリート１０の上面に載置される。上部のプレキャスト土留め版４をもって上部土留壁部４Ｂが形成され、該下部及び上部土留壁部４Ａ，４Ｂの受ける土圧はＨ型鋼杭１の前面フランジ１ａに伝えられ、Ｈ型鋼杭１の全体で受けることになる。
【００１６】
その他
プレキャスト土留め版４の背面には裏込め材３０が充填される。
また、本アンカー式擁壁Ｗの前面には被覆コンクリートが施されるが、図例では省略されている。
【００１７】
本アンカー式擁壁Ｗの諸元
本アンカー式擁壁Ｗの諸元の一例を示すと、親杭長１１．５ｍ、その根入れ長４．５ｍ、親杭１の間隔は１．５ｍ、ＲＣ横梁２は根入れより上方へ４．７ｍを採る。
【００１８】
本アンカー式擁壁Ｗの作用
本アンカー式擁壁Ｗは、ＲＣ横梁２への作用圧は、該ＲＣ横梁２自体にかかる土圧と土留め版４を介して親杭１に伝わる土圧となる。
本擁壁Ｗの親杭列と横梁とで一体的に構成される骨組みは、Ｈ型鋼杭１の根入れとアンカー３との拘束位置を有し、当該土圧に対し、合理的な設計の根拠を与えるものである。すなわち、これを従来の単純梁モデルによる設計解法（アンカーの両サイドに位置するＨ型鋼杭を支点とし、アンカー位置に集中する荷重がかかる単純梁とみなしてなす計算法）によれば、設計計算は容易であるが、必要以上の断面となり、また、親杭１とＲＣ横梁２との交点部での応力については明確な結果が見出せないものである。しかし、これを三次元ＦＥＭ線形解析を適用することにより前記交点部での応力が明確となり、従来の単純梁の解法に比べより小さな断面で済む設計をなすことができる。この結果、経済的な擁壁断面を得る。
【００１９】
本アンカー式擁壁Ｗの効果
本発明のアンカー式擁壁Ｗによれば、擁壁面にかかる土圧に対し、合理的な設計の根拠を与え、小さな断面で済み、経済的な擁壁断面を得る。
また、擁壁Ｗの前面からの突出物が短く、該擁壁Ｗの前面部が有効に使え、圧迫感もなく、美観に優れる。
【００２０】
本アンカー式擁壁Ｗの構築（図７〜図１０参照）
叙上の構成よりなるアンカー式擁壁Ｗの構築方法の一実施形態を示す。
当該実施形態は叙上のアンカー式擁壁Ｗを利用した新規な施工方法を提供するものであって、他の構築手順を除外するものではない。
以下、開削による道路設置工への適用例を施工手順に基づいて説明する。
図７はその施工の完了状態を示し、原地表面Ｈ（２点鎖線表示）を開削し、道路Ｒが構築される。図面において、Ｉ（２点鎖線表示）は１次床掘り面、Ｊ（２点鎖線表示）は２次床掘り面である。また、図８におけるＫは３次床掘り面である。
【００２１】
（１）親杭列の構築（図８参照）
本アンカー式擁壁Ｗの構築において、原地表面Ｈにおいて、ＲＣ横梁２の設置予定位置まで１次床堀り面Ｉまで床掘りをなす。次いで、アースオーガー等の穿孔機（図示せず）により所定の深度にまで、また所定間隔（例えば１．６ｍ）をもって各親杭１の杭孔１００列を形成する。各削孔１００が空掘りでない場合には、該杭孔１００内に泥水（ベンナイト）が充填され、削孔壁の崩壊を防止する。次いで、杭孔１００内に親杭用のＨ形鋼杭１を建て込み、杭孔１００と該Ｈ型鋼杭１との間に根入れ長までモルタル１１０を充填する。これにより、Ｈ型鋼杭１の杭列が形成される。モルタル注入に替え、削孔と同時になされるソイルセメント杭であってもよい。
【００２２】
（２）親杭間の掘削及び土留め板の設置（図９参照）
２次床掘り面Ｊまで床掘りをなし、同時に根入れ部以上のＨ型鋼杭１間を掘削する。すなわち、Ｈ型鋼杭１間の土砂を排除する。該土砂の排除はＨ型鋼杭１の値入れ部の上面にまでなされ、ここを土留め板の最下座部とする。しかる後、Ｈ型鋼杭１間にＲＣ横梁の施工予定位置まで土留め板４を順次に上方より落とし込み、Ｈ型鋼杭１，１のウェブ１ｃ間に挟着設置する。図９はこの状態を示す。
なお、土留め板４の背部に適宜裏込め土を充填する。
【００２３】
（３）横梁の構築（図１０参照）
図１０に示すように、各Ｈ型鋼杭１の杭列の上位部において該Ｈ型鋼杭１間にわたってＲＣ横梁２を水平方向に構築する。ＲＣ横梁２には水平筋１２、横筋１３が配され、充填コンクリート１４により一体構造を得ることは既に述べた。Ｈ型鋼杭１との交点部は上述したとおり、剛接される。
当該ＲＣ横梁２のアンカー３の設置位置、すなわち相隣れるＨ型鋼杭１間の中間位置に、定着座１６を突設し、また、該ＲＣ横梁２を横断してアンカー用挿通孔１７を形成する。
【００２４】
（４）アンカーの設置  （図６、図１０参照）
更に図１０において、ＲＣ横梁２の固結後、地盤Ｅ内にアンカー３用の削孔をなし、アンカー３を施工する。
すなわち、アンカー用挿通孔１９を介して、アンカー用削孔機（図示せず）をもって、地盤Ｅ内にアンカー３用の削孔をなし、所定径及び所定長のアンカー孔２０を形成する（図６参照）。
次いで、このアンカー孔２０内にアンカー鋼棒１７を挿入し、その定着部１７ｂ周りにセメントミルク２６ａを充填し、その固結を待つ。アンカー鋼棒１７の先端は支圧板２２より突出され、そのねじ部１７ａにナット２３が螺合される。支圧板２２を一旦外し、アンカー用挿通孔１９より、また、充填されていないアンカー孔２０内にセメントミルク２６ｂを充填し、支圧板２２を閉塞し、ナット２３を回転締付けてアンカー鋼棒１７に予張力（プレスト力）を導入する。
【００２５】
（５）擁壁の完成
図１０に引続き、ＲＣ横梁２より上部の土留め板４を設置し、また、Ｈ型鋼杭１の頭部にコンクリート梁６を施工する。更には、擁壁Ｗの上部の背部の１次床掘り面Ｉ（２）に裏込め土を施工し、施工を完了する。
【００２６】
（６）道路の施工
工程（５）に併行して、道路Ｒの施工面を与える３次床掘り面Ｋまで床掘りをなし、擁壁Ｗに沿って歩道、更に道路を施工する。
叙上の（１）〜（６）の工程を道路Ｒを挟んで他の側にも施工し、原地表面Ｈよりも低い位置に道路を施工することができる。
叙上の工程（１）〜（６）よりなるアンカー式擁壁Ｗを四周に施せば、例えばその後構築される建物の地下基礎空間を構築することができる。
【００２７】
（他の施工態様１）
本施工方法において、道路Ｒの施工面が原地表面Ｈ’であるとき、親杭列はこの地表面Ｈ’から施工され、通常の施工態様を採る。
すなわち、原地表面Ｈ’において杭孔１００を削孔し、この杭孔１００内にＨ型鋼杭１を建込み、土留め板４を設置する。しかる後、前記した工程（３）の横梁を構築し、以後（４）（５）の工程を採る。
【００２８】
（他の施工態様２）
土留め部分を現場打ちとする態様は以下の施工手順を採る。
（１ａ）親杭列の構築
前記工程（１）に準じる。
（２ａ）横梁の構築
前記工程（３）に準じる。
すなわち、１次床掘り面Ｉを基盤として該ＲＣ横梁２を構築する。
（３ａ）アンカーの設置
前記工程（４）に準じる。
（４ａ）土留め部の掘削
構梁２の背部より横梁２の下部のＨ型鋼杭１に沿って横矢板を打ち込み、
根入れ部から横梁２まで設置する。同時にＨ型鋼杭１の前面の土砂、２次床掘り面Ｊ、３次床掘り面Ｋを含めて掘削する。
（５ａ）土留め部の構築
Ｈ型鋼杭１間に鉄筋を配し、Ｈ型鋼杭１の前面に型枠Ｉを施し、コンクリートを打設し、現場打ちコンクリート土留めを施工する。
（６ａ）擁壁の完成
同様にして、横梁２以上の土留めを施工し、上部工６を施工する。
【００２９】
（本実施形態の作用効果）
本実施形態のアンカー式擁壁Ｗによる土工空間の施工方法によれば、恒久的かつ美観に優れた擁壁を備えた地下空間が得られ、かつ、当該地下空間を迅速に施工できる。この地下空間は擁壁の壁面の突出物を極力抑えることができ、有効な空間を与える。
【００３０】
本発明は上記実施の形態に限定されるものではなく、本発明の基本的技術思想の範囲内で種々設計変更が可能である。すなわち、以下の態様は本発明の技術的範囲に属する。
（１）親杭１はＨ型鋼に限らず、他の鋼杭を用いることができる。
（２）横梁２はＲＣに限らず、他の素材（例えば鋼材）を使用することができ、その場合該横梁は親杭１を包持しない態様を採ることができる。
【図面の簡単な説明】
【００３１】
【図１】本発明の親杭式土留アンカー式擁壁の一実施形態の前面方向から見た全体構成図。
【図２】図１の２−２線断面図。
【図３】図１の３−３線断面図。
【図４】図１の４部の拡大図。
【図５】図４の５−５線断面図。
【図６】アンカー部の詳細断面図。
【図７】本発明の親杭式土留アンカー式擁壁の構築方法の施工要領図。
【図８】施工要領の一工程を示す図。
【図９】施工要領の一工程を示す図。
【図１０】施工要領の一工程を示す図。
【符号の説明】
【００３２】
Ｗ…アンカー式擁壁、１…親杭（Ｈ型鋼）、１ａ，１ｂ…フランジ、１ｃ…ウェブ、１ｄ…根入れ部、２…ＲＣ横梁、３…アンカー、４…プレキャスト土留め版、６…コンクリート梁、１０…根固めコンクリート
【図１】
2007154413.tif 000003
【図２】
2007154413.tif 000004
【図３】
2007154413.tif 000005
【図４】
2007154413.tif 000006
【図５】
2007154413.tif 000007
【図６】
2007154413.tif 000008
【図７】
2007154413.tif 000009
【図８】
2007154413.tif 000010
【図９】
2007154413.tif 000011
【図１０】
2007154413.tif 000012